(57)【要約】【課題】特別なスペースを設けることがなく、いかなる場所においても蛍光発光の発光色や輝度を実感することができる見本装置を提供する。【解決手段】本体と蓋部を備えた持ち運び可能な箱型の見本装置であり、本体上部の一辺に蝶番により蓋部が取り付けられ、該蓋部は９０度未満で開かれた状態に固定可能なものであり、蓋部の内側及び／または本体の内部に、光源を備え、本体上部に、該光源の照射により発光を示す試料が載置されている。 【選択図】図１
0003149219.tif 000002
【実用新案登録請求の範囲】
【請求項１】
本体と蓋部を備えた持ち運び可能な箱型の見本装置であり、
本体上部の一辺に蝶番により蓋部が取り付けられ、該蓋部は９０度未満で開かれた状態に固定可能なものであり、
蓋部の内側及び／または本体の内部に、光源を備え、
本体上部に、該光源の照射により発光を示す試料が載置されていることを特徴とする見本装置
【請求項２】
試料観察時に、蓋部の内側に備えられた光源が、蓋部前方の正面板により遮られ、照射光が直接視認されないように取り付けられていることを特徴とする請求項１に記載の見本装置
【請求項３】
正面板の裏面に、反射層が設けられていることを特徴とする請求項１〜請求項２に記載の見本装置
【請求項４】
光源の背後に、反射層が設けられていることを特徴とする請求項１〜請求項３に記載の見本装置
【請求項５】
本体上部に備えられた支柱により蓋部が９０度未満の状態で開かれた状態で固定可能であることを特徴とする請求項１〜請求項４に記載の見本装置
【請求項６】
本体内部に、試料が載置される試料台を備えることを特徴とする請求項１〜請求項５に記載の見本装置
【請求項７】
本体と蓋部の内部（正面板の裏面及び光源の背後を除く）が、黒色であることを特徴とする請求項１〜請求項６に記載の見本装置
【請求項８】
光源が紫外線光源であることを特徴とする請求項１〜請求項７に記載の見本装置
【考案の詳細な説明】
【技術分野】
【０００１】
本考案は、発光色の見本装置に関するものである。
【背景技術】
【０００２】
近年、非常時の誘導サインや安全標識、看板等に蛍光材料が広く利用されている。また、建材の装飾効果を高めるために、蛍光顔料や蓄光顔料等を含む発光性塗料を採用する方法が注目されている。例えば、特許文献１には蛍光塗料粒子を含む意匠性塗膜形成組成物が記載されており、明所と暗所とでバリエーションに富む外観を与えることが記載されている。このような発光塗料は、実際の発光色や輝度を実感するために、特別なスペースを設けて展示されることが多く、大がかりで大変である。そこで、通常、発光塗料の効果や発光状態を確認する際には、カタログ等に掲載される写真資料のみで確認するしかなく、ユーザーにとって発光色や輝度を実感するには不十分であった。
【０００３】
【特許文献１】特開２００８−１２１００６号公報
【考案の開示】
【考案が解決しようとする課題】
【０００４】
そこで、特別なスペースを設けることがなく、いかなる場所においても蛍光発光の発光色や輝度を実感することができる見本装置を開発することを課題とする。
【課題を解決するための手段】
【０００５】
本考案は上記諸問題点を解決するためになされたものである。本考案は以下の特徴を有するものである。
１．本体と蓋部を備えた持ち運び可能な箱型の見本装置であり、
本体上部の一辺に蝶番により蓋部が取り付けられ、該蓋部は９０度未満で開かれた状態に固定可能なものであり、
蓋部の内側及び／または本体の内部に、光源を備え、
本体上部に、該光源の照射により発光を示す試料が載置されていることを特徴とする見本装置。
２．試料観察時に、蓋部の内側に備えられた光源が、蓋部前方の正面板により遮られ、照射光が直接視認されないように取り付けられていることを特徴とする１．に記載の見本装置。
３．正面板の裏面に、反射層が設けられていることを特徴とする１．〜２．に記載の見本装置。
４．光源の背後に、反射層が設けられていることを特徴とする１．〜３．に記載の見本装置。
５．本体上部に備えられた支柱により蓋部が９０度未満の状態で開かれた状態で固定可能であることを特徴とする１．〜４．に記載の見本装置。
６．本体内部に、試料が載置される試料台を備えることを特徴とする１．〜５．に記載の見本装置。
７．本体と蓋部の内部（正面板の裏面及び光源の背後を除く）が、黒色であることを特徴とする１．〜６．に記載の見本装置。
８．光源が紫外線光源であることを特徴とする１．〜７．に記載の見本装置。
【考案の効果】
【０００６】
１．では、光の照射により発光を示す試料の蛍光発光を実感する箱型の見本装置を得ることができる。具体的には、蓋部の内側及び／または本体の内部に光源が保持され、本体上部に試料が載置されているものである。蓋部に保持されている光源は、試料を表面から照射し、また、内部に保持されている光源は、試料を裏面から照射することができる。特に、試料が透光性を有するものである場合、蓋部に保持された光源と、内部に保持されている光源により同時に光を照射することができる。また、蓋部が９０度未満（図１：θ＜９０°）で開かれた状態で固定可能であることにより、試料のみを効率的に照射することができる。
【０００７】
２．では、蓋部前方の正面板により遮られ、見本装置の手前から視認されないように光源が取り付けられていることにより試料のみを効率的に照射することができ、さらに、見本装置を使用する際（試料観察時）に、ユーザーが光を直視するおそれがない。
【０００８】
３．４．では、正面板の裏面や光源の背後に反射層が設けられていることにより、光源からの光を効率的に反射し、試料を照射することができる。
【０００９】
５．では、本体上部に支柱が備えられていることにより、蓋部を９０度未満で開かれた状態（図１：θ＜９０°）で安定して固定することができる。
【００１０】
６．では、本体の内部に、試料が載置される試料台を備えていることにより、安定に試料を載置することができる。また、本体の内部に試料を載置することができるため、外部の光を遮ることができ、暗所での発光色や輝度を実感しやすい。
【００１１】
７．では、本体と蓋部の内部（正面板の裏面及び光源の背後を除く）を、黒色とすることにより、発光色や輝度をより実感しやすい。
【００１２】
８．では、光源が紫外線光源であることにより、蛍光材料を効率的に発光させることができる。
【考案を実施するための最良の形態】
【００１３】
以下、本考案を実施するための最良の実施の形態について詳細に説明する。
【００１４】
図１は、本考案の見本装置の一例を示すものである。
持ち運び可能な箱１は、本体２と蓋部３を備えたものであり、本体上部の一辺に蝶番により蓋部３が取り付けられているものである。このような箱１は、蓋部の内側と本体内部に光源を備えることができるものであればどのようなものであってもよい。その材料としては、アルミニウム等の軽金属、木材、各種プラスチック等が挙げられる。
蓋部前方には正面板を設けることが好ましい。正面板３ａは図３、図４に示すように、見本装置の手前から光源が視認されないような形状であり、遮蔽性を有することが好ましい。これによって、試料のみを効率的に照射することができ、さらに、見本装置を使用する際に、ユーザーが光を直視するおそれがない。
【００１５】
さらに、正面板３ａの裏面、および光源の背後には、反射層６を設けることが好ましい。この場合、光源からの光を効率的に反射し、試料を照射することができる。このような反射層としては、例えば、紫外線反射効率の高いＡｇ、Ａｌ、Ａｕ、Ｃｒ、Ｃｕ、Ｎｉ、Ｔｉ、Ｐｔ等の金属材料によるコーティング層、或いは、アルミナ、炭酸カルシウム、カオリン、タルク、シリカ等を含む白色塗料による塗布層が挙げられる。
【００１６】
また、箱１の本体２と蓋部３の内部（正面板の裏面及び光源の背後を除く）は、黒色であることが好ましく、その材料としては黒色のシート、フィルム、塗膜、または、布、キルト、不織布、繊維、発泡性材料等の緩衝作用を有する材料が張り付けられているもの等が挙げられる。本発明では特に、光源の周辺には緩衝作用を有する材料が張り付けられていることが好ましい。これにより、持ち運び時に光源への衝撃を抑えることができる。
【００１７】
光源４は、試料５を発光させることができるものであればよく、例えば、試料が蛍光材料である場合は、主波長が紫外線領域であるブラックライトを使用する。光源４は蓋部２の内側（４ａ）及び／又は本体の内部（４ｂ）に少なくとも１つ以上備えられていれば良い。本考案では、蓋部２の内側に取り付けられる光源４ａは、蓋部の正面板３ａにより遮られ、見本装置の正面から視認されないように取り付けられることが好ましい。これによって、試料のみを効率的に照射することができ、さらに、見本装置を使用する際に、ユーザーが光を直視するおそれがない。
【００１８】
支柱７は、箱本体２の上部に設置され、蓋部を支えるものである。その高さは、蓋部が９０度未満で開かれた状態（図１：θ＜９０°）となるように適宜設定すればよい。支柱７は、本体上部と蓋部に凹部を設け、外凹部に支柱を嵌め込むように設置されているか、あるいは、支柱の端部をクリップ形状とし本体上部と蓋部を挟むように設置されていればよい。その材料としては、アルミニウム等の軽金属、木材、各種プラスチック等が挙げられる。
【００１９】
試料５としては、本体２に載置することが出来れば特に限定されないが、例えば、矩形、板状の基材に蛍光材料による塗装を施したもの等が挙げられる。基材としては、スレート板、けい酸カルシウム板、金属板、樹脂板、等の非透光性のもの、または、ガラス板、透明・半透明樹脂板、等の透光性を有するもの、どちらの基材も使用することができる。例えば、非透光性の基材の場合、蓋部３の内側の光源４ａのみを照射し、試料表面の発光を視認することができる。一方、透光性の基材の場合、蓋部３の内側の光源４ａにより試料表面に光を照射したり、本体内部の光源４ｂにより試料裏面に光を照射したり、さらに光源４ａ及び光源４ｂにより試料の両面から光を照射することにより、様々な発光を確認することができる。
【００２０】
試料８は、上記試料５を安定に載置できるものであればよい。また、その形状や材料は上記試料５に応じて適宜設定すればよい。具体的には、試料５が非透光性である場合、試料を載置できれば特に限定されない。例えば、アルミニウム等の軽金属、ガラス、木材、各種プラスチック等の、箱状物、台状物、円柱状物、等が挙げられる。
また、試料５が透光性を有する場合、光源４ｂにより照射される光を遮光しないものを使用する。例えば、紫外線を透過するようなガラス、透明樹脂等を使用する場合、その形状は特に限定されない。一方、アルミニウム等の軽金属、木材、各種プラスチック等を使用する場合、試料５の裏面を覆わないような形状、例えば、筒状物、網状物、等を使用する。
【００２１】
本考案の見本装置を持ち運ぶ際には、本体２内に、光源４、試料５、支柱７、試料台８等の各部材を収納することができる。
【図面の簡単な説明】
【００２２】
【図１】本考案の見本装置の一例を示す斜視図である。
【図２】本考案の見本装置の一例を示す斜視図である。
【図３】本考案の見本装置の図１のＡ−Ｂにおける断面図である。
【図４】本考案の見本装置の一例を示す断面図である。
【符号の説明】
【００２３】
１：箱
２：本体
３：蓋部
（３ａ：正面板）
４：光源
（４ａ：蓋部光源、４ｂ：底部光源）
５：試料
６：反射層
７：支柱
８：試料台
【図１】
0003149219.tif 000003
【図２】
0003149219.tif 000004
【図３】
0003149219.tif 000005
【図４】
0003149219.tif 000006
【手続補正書】
【提出日】平成21年1月7日(2009.1.7)
【手続補正１】
【補正対象書類名】実用新案登録請求の範囲
【補正対象項目名】全文
【補正方法】変更
【補正の内容】
【実用新案登録請求の範囲】
【請求項１】
本体と蓋部を備えた持ち運び可能な箱型の見本装置であり、
本体上部の一辺に蝶番により蓋部が取り付けられ、該蓋部は９０度未満で開かれた状態に固定可能なものであり、
蓋部の内側及び／または本体の内部に、光源を備え、
本体上部に、該光源の照射により発光を示す試料が載置されていることを特徴とする見本装置
【請求項２】
試料観察時に、蓋部の内側に備えられた光源が、蓋部前方の正面板により遮られ、照射光が直接視認されないように取り付けられていることを特徴とする請求項１に記載の見本装置
【請求項３】
正面板の裏面に、反射層が設けられていることを特徴とする請求項１〜請求項２のいずれか一項に記載の見本装置
【請求項４】
光源の背後に、反射層が設けられていることを特徴とする請求項１〜請求項３のいずれか一項に記載の見本装置
【請求項５】
本体上部に備えられた支柱により蓋部が９０度未満の状態で開かれた状態で固定可能であることを特徴とする請求項１〜請求項４のいずれか一項に記載の見本装置
【請求項６】
本体内部に、試料が載置される試料台を備えることを特徴とする請求項１〜請求項５のいずれか一項に記載の見本装置
【請求項７】
正面板の裏面及び光源の背後を除く本体と蓋部の内部が、黒色であることを特徴とする請求項１〜請求項６のいずれか一項に記載の見本装置
【請求項８】
光源が紫外線光源であることを特徴とする請求項１〜請求項７のいずれか一項に記載の見本装置
【手続補正２】
【補正対象書類名】明細書
【補正対象項目名】０００６
【補正方法】変更
【補正の内容】
【０００６】
本考案は上記諸問題点を解決するためになされたものである。本考案は以下の特徴を有するものである。
１．本体と蓋部を備えた持ち運び可能な箱型の見本装置であり、
本体上部の一辺に蝶番により蓋部が取り付けられ、該蓋部は９０度未満で開かれた状態に固定可能なものであり、
蓋部の内側及び／または本体の内部に、光源を備え、
本体上部に、該光源の照射により発光を示す試料が載置されていることを特徴とする見本装置。
２．試料観察時に、蓋部の内側に備えられた光源が、蓋部前方の正面板により遮られ、照射光が直接視認されないように取り付けられていることを特徴とする１．に記載の見本装置。
３．正面板の裏面に、反射層が設けられていることを特徴とする１．〜２．のいずれか一項に記載の見本装置。
４．光源の背後に、反射層が設けられていることを特徴とする１．〜３．のいずれか一項に記載の見本装置。
５．本体上部に備えられた支柱により蓋部が９０度未満の状態で開かれた状態で固定可能であることを特徴とする１．〜４．のいずれか一項に記載の見本装置。
６．本体内部に、試料が載置される試料台を備えることを特徴とする１．〜５．のいずれか一項に記載の見本装置。
７．正面板の裏面及び光源の背後を除く本体と蓋部の内部が、黒色であることを特徴とする１．〜６．のいずれか一項に記載の見本装置。
８．光源が紫外線光源であることを特徴とする１．〜７．のいずれか一項に記載の見本装置。